(57)【要約】【課題】  フロッピーディスクの異常挿入によるドア外れが防止された、ドアの取付安定性の高いフロッピーディスク駆動装置を得ることを目的とする。【解決手段】  フレーム１と、フロッピーディスクの出入りに伴い回動するドア６とを備えたフロッピーディスク駆動装置において、上記ドアの上部後側に位置し、上記ドアの撓みにより当該ドアに当接する第１の当接部と、上記ドアの上部前側に位置し、上記ドアの撓みにより当該ドアに当接する第２の当接部とを有する。【選択図】    図２
2005011516.tif 000002
【特許請求の範囲】
【請求項１】
フレームと、フロッピーディスクの出入りに伴い回動するドアとを備えたフロッピーディスク駆動装置において、上記ドアの上部後側に位置し、上記ドアの撓みにより当該ドアに当接する第１の当接部と、上記ドアの上部前側に位置し、上記ドアの撓みにより当該ドアに当接する第２の当接部とを有することを特徴とするフロッピーディスク駆動装置。
【請求項２】
上記フレームの上部を覆うカバーと、上記フレームに取り付けられ、当該カバーの変形を防止する補強板を設け、上記第１の当接部と、上記第２の当接部とを上記補強板に設けたことを特徴とする請求項１記載のフロッピーディスク駆動装置。
【請求項３】
上記フレームの上部を覆うカバーと、上記フレームの上部に上記カバーとは別体の水平部材を設け、上記第１の当接部と、上記第２の当接部とを上記水平部材に設けたことを特徴とする請求項１記載のフロッピーディスク駆動装置。
【請求項４】
上記フレームに取付けられ、フロッピーディスク出入用の開口部を備えたパネルを設け、上記第１の当接部と、上記第２の当接部とを上記パネルに設けたことを特徴とする請求項１記載のフロッピーディスク駆動装置。
【請求項５】
上記フレームの上部を覆うカバーを設け、上記第１の当接部と、上記第２の当接部とを上記カバーに設けたことを特徴とする請求項１記載のフロッピーディスク駆動装置。
【発明の詳細な説明】
【技術分野】
【０００１】
この発明は薄型化フロッピーディスク駆動装置の操作性向上に関するものである。
【背景技術】
【０００２】
図７は従来のフロッピーディスク駆動装置の一例を示す分解斜視図、図８は外観斜視図、図９はカバーを外したフロッピーディスク駆動装置の平面簡略図、図１０および図１１は要部の拡大図、図１２はフロッピーディスクの斜視図である。図において、(1)は全体を収納するフレーム、(2)はディスケットホルダ、(3)はスライドカムでフレーム(1)の案内部(1-1)と摺動部(3-2)で摺動可能に係接されている。(3-1)はスライドカムに設けられたディスケットホルダ(2)を昇降運動させるための案内部、(4)はスライドカムを付勢するバネ、(5)はスライドカム(3)のボタン取付部(3-3)に取り付けられたボタン、(6)はフレーム(1)のドア取付穴(1-2)にドア軸(6-1)が挿入されて回動可能に取付けられたドア、(7)はドア(6)を付勢するバネ、(8)はフレーム(1)に爪を介して係着されたパネル、(8-1)はパネル(8)に設けた開口部である。(9)はフレーム(1)を上部より包囲するカバー、(12)はカバーの補強板、(13)はフロッピーディスクである。
【０００３】
次に動作について説明する。図７〜図１２において、フロッピーディスク(13)がスロット口である開口部(8-1)より挿入され、ドア(6)を回動させ、ディスケットホルダ(2)に挿入される。次にフロッピーディスク(13)により図示されないスライドカムのロック機構のロックが解除され、スライドカムの摺動部(3-2)が案内部(1-1)に沿って摺動しながら、スライドカム(3)がバネ(4)により前方へ移動し、これに係接するディスケットホルダ(2)がスライドカムの案内部(3-1)に沿って下降移動し、所定の位置に位置決めされる。また、フロッピーディスク(13)を排出する時は、ボタン(5)を押すとスライドカム(3)が後方へ移動し、これに係接しているディスケットホルダ(2)がスライドカムの案内部(3-1)に沿って上昇移動し、所定の位置でスライドカム(3)が図示されないロック機構により位置決めされ、それによりディスケットホルダ(2)が所定の位置に位置決めされる。次いで図示されないレバーがフロッピーディスク(13)を押し出して排出させ、フロッピーディスク(13)を開口部(8-1)より取り出すことにより、ドア(6)は所定の位置に付勢される。また、カバーの補強板(12)はカバー(9)に荷重が負荷されたときにカバー(9)の変形を防止するはたらきをする。
【０００４】
【特許文献１】実開平４−６８４８号公報
【特許文献２】実開昭６１−５３９７３号公報
【特許文献３】実開平６−５２０９０号公報
【発明の開示】
【発明が解決しようとする課題】
【０００５】
上記のように構成された従来のフロッピーディスク駆動装置では、以下のような問題がある。
最近のフロッピーディスク駆動装置の薄型化に伴って、ドアの開閉の回動中心とフロッピーディスクの挿入時にフロッピーディスクがドアを押す位置とが近付いて来た。このため、フロッピーディスクの異常挿入により、ドアの開閉の回動中心をフロッピーディスクが押すと、ドアが変形し、ドアの回動軸が外れてしまうという不具合があった。図１１は、フロッピーディスクの異常挿入の際のドアのたわみによるドア外れの説明図である。
【０００６】
この発明は上記のような問題点を解消するめになされたもので、フロッピーディスクの異常挿入によるドア外れが防止された、ドアの取付安定性の高いフロッピーディスク駆動装置を得ることを目的とする。
【課題を解決するための手段】
【０００７】
請求項１〜５の発明に係るフロッピーディスク駆動装置は、フロッピーディスクの異常出入時に撓むドアに当接する第１の当接部及び第２当接部をドアの上部後側及び上部前側位置に設けたことを主要な構成としている。
【発明の効果】
【０００８】
この発明によれば、上記のようにフロッピーディスクの異常排出により撓むドアに当接するカバーの折曲部もしくは突起部を、ドアの前側及び後側位置に設けたことにより、ドア外れ防止およびドアの取付安定性の向上を図ることができる。
【発明を実施するための最良の形態】
【０００９】
実施例１．
以下、この発明の一実施例を図について説明する。図１、図２はこの発明の一実施例を示し、図１は全体の平面図、図２はドアとカバーとの作用を説明する断面図である。図において、(1)は全体のメカニズムを収納するフレーム、(6)はドア、(8)はパネル、(9)はカバー、(12)はカバーの補強板、(13)はフロッピーディスクである。
【００１０】
この実施例では、図７に示す従来例と同様にドア(6)の左右に形成したドア軸(6-1)がフレーム(1)のドアの取り付け穴(1-2)に挿入されている。ところがフロッピーディスクの異常挿入によりドア(6)の軸心が撓み、ドア軸(6-1)が取り付け穴(1-2)より脱出するおそれがあるので、フロッピーディスクの異常挿入により撓んだドア(6)に当接するカバー(9)の折曲部(9-4)が垂設されている。折曲部はカバー(9)の代わりに補強板(12)を前方に延設し、その延設部に形成することもできる。また、ドア(6)の前部にも撓んだドア(6)に当接するカバー(9)の折曲部(9-5)が垂設されるのが好ましい。
さらに、図２に示すように、ドア(6)が回動した際、折曲部(9-4)又は(9-5)に接触するのを防止するため、ドア(6)に逃げ穴(6-2)を形成する。ドア(6)に充分な厚さがあるときは逃げ穴(6-2)の代わりにくぼみ部を設けてもよい。
【００１１】
次に動作について説明する。フロッピーディスクが異常挿入された時、ドア(6)の回動中心部を押しドア(6)を撓ませようとした場合、カバー(9)に形成された第１の当接部である折曲部(9-4)に当接し、ドアの変形を抑えるから軸の脱出が阻止される。また、フロッピーディスク(13)を排出する時にフロッピーディスク(13)のシャッターがドア(6)に引っ掛かり、ドア(6)を前側に変形させようとした場合は、第２の当接部である(9-5)の折曲部に当接し、ドア(6)の変形を抑える。また、フロッピーディスクの挿入が挿入口の端に行われた場合に、ドア(6)の中央部が前方に撓む場合があり、これらの変形が(9-5)の折曲部で抑えられるから、軸の脱出が阻止される。また、ドア(6)には逃げ穴(6-2)が設けられているので、ドア(6)の正常な回動が折曲部(9-4)により妨げられることがない。
【００１２】
実施例２．
上記実施例１では、折曲部をカバー(9)に形成していたが、フレームに形成してもよい。すなわち、図３及び４はこの実施例を示し、図３は平面図、図４は要部側面図で、図３、４に示すように、フレーム(1)の両側上部より内方へ突出する水平部材(1-a)の前方に折曲部(1-4)(1-3)を延設することによりドア(6)の前後に折曲部を配設することができる。
【００１３】
実施例３．
上記実施例１、２は折曲部をカバー(9)又はフレーム(1)に形成しているが、この実施例の平面図及び要部側面図を示す図５、図６に示すようにパネル(8)に一体に突起部(8-3)(8-2)をドアの前後に位置するように設けてもよい。このようにすれば突起部(8-3)(8-2)はパネル成形の際簡単に製造でき、作用効果も上記実施例１と何等変わらない。
【図面の簡単な説明】
【００１４】
【図１】この発明の実施例１に係るフロッピーディスク駆動装置の平面図。
【図２】この発明の実施例１に係るドアの作用説明図。
【図３】この発明の実施例２に係るフロッピーディスク駆動装置の平面図。
【図４】この発明の実施例２に係る要部の側面図。
【図５】この発明の実施例３に係るフロッピーディスク駆動装置の平面図。
【図６】この発明の実施例３に係る要部の側面図。
【図７】従来の３.５インチフロッピーディスク駆動装置の分解斜視図。
【図８】従来の３.５インチフロッピーディスク駆動装置の外観斜視図。
【図９】カバーを外した従来のフロッピーディスク駆動装置上面略図。
【図１０】図９の拡大詳細図。
【図１１】従来のフロッピーディスク駆動装置のドアたわみによるドア外れのモデル図。
【図１２】３.５インチフロッピーディスクを示す外観斜視図。
【符号の説明】
【００１５】
１  フレーム、１−１  案内部、１−２  取付穴、１−３  折曲部（第１の当接部）、１−４  折曲部（第２の当接部）、２  ディスケットホルダ、３  スライドカム、３−１  案内部、３−２  摺動部、３−３  ボタン取付部、４  スライドカムバネ、５  ボタン、６  ドア、６−１  ドア軸、６−２  逃げ穴、７  バネ、８  パネル、８−ａ  突起、８−１  開口部（スロット口）、８−２  突起部（第１の当接部）、８−３  突起部（第２の当接部）、９  カバー、９−４  折曲部（第１の当接部）、９−５  折曲部（第２の当接部）、１２  カバーの補強板。
【図１】
2005011516.tif 000003
【図２】
2005011516.tif 000004
【図３】
2005011516.tif 000005
【図４】
2005011516.tif 000006
【図５】
2005011516.tif 000007
【図６】
2005011516.tif 000008
【図７】
2005011516.tif 000009
【図８】
2005011516.tif 000010
【図９】
2005011516.tif 000011
【図１０】
2005011516.tif 000012
【図１１】
2005011516.tif 000013
【図１２】
2005011516.tif 000014